(57)【要約】      （修正有）【課題】指挟みを防止するとともに、引き戸の操作時に指の大きさに相応しい指掛け代が形成される安全機構付引き手の提供。【解決手段】ケーシング１１内に戸当部材１３および手掛部材１２が収納され、バネ部材によって引戸面に対して戸当部材および手掛部材の一部が出没自在に配設されている。手掛部材は手を掛けて引くことにより、戸当部材と連動して引戸面に対して一部が突出する。また手掛部材は手を離すことにより、戸当部材と連動して引戸面に対して没入するように配設されている。ケーシングは戸当部材および手掛部材の一部を引戸面より突出させるための少なくとも２本の円弧状溝からなるガイド溝を有する。円弧状溝に回動自在に挿入されたシャフトは戸当部材および手掛部材の孔を介してケーシングに回動自在に連結されている。バネ部材はシャフトに取り付けられており、戸当部材および手掛部材をケーシング内に没入する方向に付勢されている。【選択図】図１
2010174582.tif 000002
【特許請求の範囲】
【請求項１】
手掛部材に手をかけて引戸を移動させた際に、付勢力に抗して戸当部材が引戸面から突出する安全機構付引き手において、
前記引戸面に対して出没自在に配設された戸当部材と、
前記戸当部材と連動して前記引戸面に対して出没自在に配設された手掛部材と、
前記手掛部材を前記引戸面から没入する方向へ付勢するバネ部材と、
前記引戸の一端に設けられた凹部に取り付けられているとともに、収納されている前記戸当部材および手掛部材の一部を前記引戸面より突出させるための少なくとも２本の円弧状溝からなるガイド溝を有するケーシングと、
前記ガイド溝を介して、前記戸当部材および手掛部材を前記ケーシングに回動自在に連結するシャフトと、
から少なくとも構成されていることを特徴とする安全機構付引き手。
【請求項２】
前記戸当部材は、前記ケーシングに設けた保持部材と係合することによって引戸面から突出した状態を維持することを特徴とする請求項１に記載された安全機構付引き手。
【請求項３】
前記保持部材は、バネ手段であることを特徴とする請求項１または請求項２に記載された安全機構付引き手。
【請求項４】
前記手掛部材を引戸面から突出した状態において、手掛部材と前記ケーシングとの間の空隙をカバーするカバー部材が前記ケーシングに形成されていることを特徴とする請求項１から請求項３のいずれか１項に記載された安全機構付引き手。
【発明の詳細な説明】
【技術分野】
【０００１】
本発明の安全機構付引き手は、手掛部材に手をかけて引戸を移動させると、前記手掛部材および戸当部材が起き上がり、指挟みを防止するとともに、引き戸の操作時に指の大きさに相応しい指掛け代が形成されて、十分な指掛け部を確保することができる使い勝手の良い安全機構付引き手に関するものである。本発明の安全機構付引き手は、車両等の移動体、または建物等の構築物の引戸に適用される。
【背景技術】
【０００２】
従来の安全機構付引き手は、たとえば、特許第３７７３４８３号公報に記載されているように、扉を開閉する際に、戸当部材が突出して、指挟みを防止するとともに、前記戸当部材を後退させて、引戸がフラット状態になるまで、引き込むことができる。その他、引戸における前記安全機構付引き手に関する従来例は、特許第３９０９５７７号公報、特許第３９０９５７８号公報、特開２００３−１９３７１１号公報がある。
【先行技術文献】
【特許文献】
【０００３】
【特許文献１】特許第３７７３４８３号公報
【特許文献２】特許第３９０９５７７号公報
【特許文献３】特許第３９０９５７８号公報
【特許文献４】特開２００３−１９３７１１号公報
【発明の概要】
【発明が解決しようとする課題】
【０００４】
前記従来例における安全機構付引き手は、指挟みを防止することができる。しかし、前記安全機構付引き手は、戸を開く際の操作時に、指かかり代が狭く、使い勝手が良くなかった。また、前記安全機構付引き手は、指挟み防止を行うとともに、指かかり代を大きくすると、機構的な不具合の発生、およびデザイン的に見栄えがしないものとなっていた。
【０００５】
以上のような課題を解決するために、本発明は、戸当部材および手掛部材をほぼ中央部から対照的に突出させることにより、指挟みを防止するとともに、指かかり代を大きくすることができる機構的およびデザイン的に優れた安全機構付引き手を提供することを目的とする。
【課題を解決するための手段】
【０００６】
（第１発明）
第１発明の安全機構付引き手は、手掛部材に手をかけて引戸を移動させた際に、付勢力に抗して戸当部材が引戸面から突出するものであり、前記引戸面に対して出没自在に配設された戸当部材と、前記戸当部材と連動して前記引戸面に対して出没自在に配設された手掛部材と、前記手掛部材を前記引戸面から没入する方向へ付勢するバネ部材と、前記引戸の一端に設けられた凹部に取り付けられているとともに、収納されている前記戸当部材および手掛部材の一部を前記引戸面より突出させるための少なくとも２本の円弧状溝からなるガイド溝を有するケーシングと、前記ガイド溝を介して、前記戸当部材および手掛部材を前記ケーシングに回動自在に連結するシャフトとから少なくとも構成されていることを特徴とする。
【０００７】
（第２発明）
第２発明の安全機構付引き手において、前記戸当部材は、前記ケーシングに設けた保持部材と係合することによって引戸面から突出した状態を維持することを特徴とする。
【０００８】
（第３発明）
第３発明の安全機構付引き手において、前記保持部材は、バネ手段であることを特徴とする。
【０００９】
（第４発明）
第４発明の安全機構付引き手における前記手掛部材を引戸面から突出した状態において、手掛部材と前記ケーシングとの間の空隙をカバーするカバー部材が前記ケーシングに形成されていることを特徴とする。
【発明の効果】
【００１０】
本発明によれば、引き戸の操作時に、十分に指を掛ける部分を確保することができるとともに、操作勝手がよく、手掛部材とケーシングとの間に指を挟むという事故を防止できる安全機構付引き手とすることができる。
【００１１】
本発明によれば、ケーシングに収納された戸当部材および手掛部材の出没をバネ部材とシャフトにより、巧みに構成したため、機構およびデザインが優れた安全機構付引き手とすることができる。
【００１２】
本発明によれば、板バネ等の保持部材によって、前記手掛部材および戸当部材を突出した状態に維持することができるとともに、僅かな力により、前記戸当部材と前記保持部材との係合を解除することができ、操作勝手を良くすることができる。
【００１３】
本発明によれば、前記手掛部材を突出させた場合に、前記ケーシング内のバネ部材等が見えないように、前記ケーシングにカバー部材を設けることにより、見栄えを良くすることができるだけでなく、指が前記ケーシングの内部に入って、挟まれるのを防止することができる。
【図面の簡単な説明】
【００１４】
【図１】本発明の安全機構付引き手の実施例であり、（イ）は引戸が停止している状態、（ロ）は引戸を引いている状態を説明するための斜視図である。（実施例１）
【図２】（イ）は安全機構付引き手のケーシング表側斜視図、（ロ）はケーシング裏側斜視詳細図である。
【図３】（イ）および（ロ）は手掛部材の異なる方向から見た斜視詳細図である。
【図４】（イ）および（ロ）は戸当部材の異なる方向から見た斜視詳細図である。
【図５】本発明の実施例で、ケーシング、手掛部材、および戸当部材の組み立てを説明するための図である。
【図６】（イ）から（ハ）は本発明の実施例におけるケーシング、手掛部材、および戸当部材の動きを説明するための斜視図である。
【図７】（イ）から（ハ）は本発明の実施例におけるケーシング、手掛部材、および戸当部材の動きを説明するための断面図である。
【発明を実施するための最良の形態】
【００１５】
（第１発明）
第１発明の安全機構付引き手は、手掛部材に手をかけて引戸を移動させた際に、付勢力に抗して戸当部材および前記手掛部材が引戸面から突出することにより、指挟みを防止するとともに、引き戸の操作時に十分な指掛け代が形成されるものである。また、前記安全機構付引き手は、ケーシング内に戸当部材および手掛部材が収納され、バネ部材によって前記引戸面に対して、前記戸当部材および手掛部材の一部が出没自在に配設されている。前記手掛部材は、手を掛けて引くことにより、前記戸当部材と連動して、前記引戸面に対して一部が突出する。また、前記手掛部材は、手を離すことにより、前記戸当部材と連動して、前記引戸面に対して、没入するように配設されている。
【００１６】
前記戸当部材および手掛部材は、手掛部材に手が掛かっていない場合、バネ部材の付勢によって、前記前記引戸面内に没入する。前記ケーシングは、前記戸当部材および手掛部材を回動自在に収納するとともに、前記引戸の一端に設けられた凹部に取り付けられている。また、前記ケーシングは、前記引戸に設けられている凹部に収納する凸部を有するとともに、前記戸当部材および手掛部材の一部を前記引戸面より突出させるための少なくとも２本の円弧状溝からなるガイド溝が側部に設けられている。前記円弧状溝に回動自在に挿入されたシャフトは、前記戸当部材および手掛部材の孔を介して、前記ケーシングに回動自在に連結されている。前記バネ部材は、前記シャフトに取り付けられており、前記戸当部材および手掛部材を前記ケーシング内に没入する方向に付勢する。
【００１７】
（第２発明）
第２発明の安全機構付引き手において、前記戸当部材は、前記ケーシングに設けられた保持部材と係合することによって、引戸面から突出した状態が維持できる構成になっている。たとえば、前記保持部材は、突起部を有し、前記手掛部材を引いた状態で、前記突起部を乗り越えて、前記戸当部材が突出した状態を維持することができる。また、前記保持部材は、前記手掛部材を元の状態に戻す際に、前記突起部を乗り越えて、前記手掛部材を没入させる。
【００１８】
（第３発明）
第３発明の安全機構付引き手において、前記保持部材は、たとえば、板状のバネ手段からなり、一端部に突起部が形成されている。前記突起部は、前記戸当部材の凹部に係合でき、僅かな力で保持と保持の解除が容易にできるようになっている。
【００１９】
（第４発明）
第４発明の安全機構付引き手において、前記手掛部材と前記ケーシングとの間の空隙をカバーするカバー部材が前記ケーシングに形成されている。前記ケーシングおよびカバー部材の形成は、たとえば、合成樹脂を金型により、また、アルミニウム、あるいはアルミニウム等の合金による削り出し等によって作製される。前記手掛部材は、引戸面に没入した状態において、前記戸当部材と同じ面になるが、前記引戸面から突出した状態において、前記手掛部の下部からシャフトあるいはバネ部材等が見える。前記カバー部材は、前記ケーシングの内部に設けられている前記部品等を隠し、前記手掛部材を突出させた状態において、見栄えを良くしている。
【実施例１】
【００２０】
図１は本発明の安全機構付引き手の実施例であり、（イ）は引戸が停止している状態、（ロ）は引戸を引いている状態を説明するための斜視図である。図２（イ）は安全機構付引き手のケーシング表側斜視図、（ロ）はケーシング裏側斜視詳細図である。図３（イ）および（ロ）は手掛部材の異なる方向から見た斜視詳細図である。図４（イ）および（ロ）は戸当部材の異なる方向から見た斜視詳細図である。図１（イ）および（ロ）において、安全機構付引き手は、図示されていない引戸に取り付けられ、引戸が図１（イ）のように静止している場合の状態と、図１（ロ）のように引戸を引いている場合の状態における手掛部材１２および戸当部材１３が示されている。
【００２１】
図２（イ）および（ロ）において、ケーシング１１は、たとえば、図示されていない引戸の凹部に嵌合する凸部からなり、前記凸部の反対側に成形される凹部における上部周囲に引戸に取り付けるフランジ部を有するような形状になっている。前記ケーシング１１の凹部は、後述の手掛部材１２および戸当部材１３を収納できるような大きさと形状を有している。前記ケーシング１１は、前記凹部の底部に前記手掛部材１２を取り付けるために、たとえば、図２（イ）に示すように、同じ方向に向いた回動軸１１１、１１１′が前記底部近傍に固定状態に設けられている。
【００２２】
また、前記ケーシング１１は、両側部に第１弧状溝１１２、１１２′、第２弧状溝１１３、１１３′、および板バネ取付部１７１が設けられている。さらに、前記ケーシング１１は、底部にカバー部材１１５および少なくとも一つの開口部１１６が設けられている。前記開口部１１６には、後述するスプリング１６の係合フック１６２を取り付けるスプリング係合部１１４が設けられている。前記スプリング１６の他端の係合フック１６１は、前記長シャフト１４に取り付けられる。前記カバー部材１１５は、ケーシングに一体または別体に作製される。
【００２３】
図３（イ）および（ロ）において、手掛部材１２は、手の指を引き掛けて引戸を引き易くする手掛部１２１と、前記手掛部１２１の両側部に長孔１２３、１２３′および回動取付孔１２４、１２４′と、前記手掛部１２１の下部に補強部１２５、１２５′と、前記手掛部１２１と反対側に、長手方向に段差からなる凹部１２６とが設けられている。また、前記手掛部材１２の下部には、図３において、隠れており、後述する図７に示されている案内溝１２２が設けられている。また、前記手掛部材１２は、指を掛ける部分がケーシング１１の内部に向かう傾斜面を設けることにより、指掛けが容易になる。
【００２４】
図４（イ）および（ロ）において、戸当部材１３は、戸当部１３１と、その両側部に設けられたアーム１３２、１３２′と、前記戸当部１３１の下方に向かって伸びるガイド部材１３７が設けられている。前記アーム１３２、１３２′は、第１の貫通孔１３３、１３３′と、第２の貫通孔１３４、１３４′と、係合長孔１３５、１３５′とが設けられている。前記戸当部１３１は、上部の一端部に当接部１３６が形成され、図３（ロ）に示された段差からなる凹部１２６の上に一部分が重なるように組み立てられている。また、前記戸当部材１３は、前記アーム１３２、１３２′とともにコ字状になっており、前記手掛部材１２の両側から挟み込むような構造になっている。
【００２５】
前記戸当部材１３は、図３（イ）および（ロ）において、見えないが、後述する図７（イ）から（ハ）において判るように、断面がほぼＬ字状になっており、戸当部１３１と当接部１３６とから構成されている。前記当接部１３６は、前記手掛部材１２に設けられている凹部１２６に重ねられるようになっている。さらに、前記戸当部材１３１は、戸が当たる部分にクッション１３９（図７参照）が設けられ、当接の際に、戸に柔らかく当たるとともに、当接音を弱めるようにしている。
【００２６】
図５は本発明の実施例で、ケーシング、手掛部材、および戸当部材の組み立てを説明するための図である。図５において、安全機構付引き手１０は、前記カバー部材１１５付きのケーシング１１と、手掛部材１２と、戸当部材１３と、長シャフト１４と、２本の短シャフト１５、１５′と、前記各シャフトの留め金１８、１８′、１８″とから少なくとも構成されている。
【００２７】
前記ケーシング１１に一体的に成形され、または別体として取り付けられているカバー部材１１５は、前記戸当部材１２に設けられている前記案内溝１２２（図７参照）と比較して幅が狭く成形されている。次に、前記ケーシング１１は、前記凹部の内部に手掛部材１２、戸当部材１３、および長シャフト１４、短シャフト１５、１５′等が組立線のごとく収納されて取り付けられる。前記手掛部材１２の回動取付孔１２４、１２４′は、前記ケーシング１１の回動軸１１１、１１１′に回動自在に嵌合される。
【００２８】
次に、前記長シャフト１４は、前記ケーシング１１における第１弧状溝１１２、前記戸当部材１３の第２の貫通孔１３４、前記手掛部材１２の長孔１２３に挿入された後、補強案内部１２５、１２５′の孔を介して、前記手掛部材１２の長孔１２３′、前記戸当部材１３の第２の貫通孔１３４′、前記ケーシング１１における第１弧状溝１１２′に挿入され、留め金１８″によって固定される。
【００２９】
必要に応じて、板バネ１７、１７′は、図５に示すケーシング１１の底部近傍に取り付けられる。前記板バネ１７、１７′は、取付部の反対側に、前記回動軸１１１、１１１′と同軸の突起が設けられている。前記突起は、前記手掛部材１２および戸当部材１３の組み立てに際し、前記戸当部材１３のアーム１３２に設けられている係合長孔１３５に係合する。前記突起および係合長孔１３５の動きは、前記手掛部材１２に指をかけて、引戸を動かしている間、同じ状態を保持するとともに、前記手掛部材１２および前記戸当部材１３を前記ケーシング１１内に収納する場合、前記手掛部材１２および前記戸当部材１３をケーシング１１方向に軽く押すことにより、互いに係合状態が外れ、元の位置に戻るようになっている。
【００３０】
前記戸当部材１３は、短シャフト１５、１５′を第１の貫通孔１３３、１３３′に回動自在に挿入し、留め金１８、１８′により固定される。また、前記手掛部材１２は、回動取付孔１２４、１２４′が回動軸１１１、１１１′に嵌合するように取り付けられる。
【００３１】
図６（イ）から（ハ）は本発明の実施例におけるケーシング、手掛部材、および戸当部材の動きを説明するための斜視図である。図７（イ）から（ハ）は本発明の実施例におけるケーシング、手掛部材、および戸当部材の動きを説明するための断面図である。図６（イ）から（ハ）および図７（イ）から（ハ）は、前記手掛部材１２および戸当部材１３の、没入した状態、中途の状態、および突出した状態が同じ状態で示されている。
【００３２】
図６（イ）および図７（イ）において、前記手掛部材１２および前記戸当部材１３は、ケーシング１１に収納されている状態で、指が前記手掛部材１２にかかり、力を入れる寸前の状態を示している。前記状態において、長シャフト１４および短シャフト１５は、図６（イ）および図７（イ）のように長孔に対してほぼ一番右の位置にある。また、図７（イ）において、カバー部材１１５は、前記手掛部材１２に設けられている案内溝１２２内に収納された状態になっている。
【００３３】
図６（ロ）および図７（ロ）において、前記手掛部材１２および前記戸当部材１３は、図示されていない指により、図の左側方向に力がかかる。前記状態における前記手掛部材１２および前記戸当部材１３は、図７（ロ）に示すように、ほぼ中間部が上がり、互いの両端が少し下がるような状態になっている。前記状態において、長シャフト１４および短シャフト１５、１５′（図示されていない）は、図６（ロ）および図７（ロ）のように長孔に対してほぼ中間の位置にある。また、図７（ロ）において、カバー部材１１５は、前記手掛部材１２に設けられている案内溝１２２の中から出始めた状態で収納されている。
【００３４】
図６（ハ）および図７（ハ）において、前記手掛部材１２および前記戸当部材１３は、図示のように、指の力が図の左側方向にかかる。前記状態における前記手掛部材１２および前記戸当部材１３は、図示のように、両端部が突出（下がった）した状態になる。前記状態において、長シャフト１４および短シャフト１５、１５′は、図６（ハ）および図７（ハ）のように長孔に対して左側または下部の位置にある。また、図７（ハ）において、カバー部材１１５は、前記手掛部材１２に設けられている案内溝１２２の中から抜ける状態になる。前記カバー部材１１５は、前記案内溝１２２によって、前記手掛部材１２を案内するとともに、前記シャフト１４等内部の部品が見えないようにするカバーしている。
【００３５】
前記ケーシングおよび前記手掛部材１２、あるいは戸当部材１３の長孔１２３、１２３′または係合長孔１３５、１３５′は、前記手掛部材１２および前記戸当部材１３の回動に基づいて、必要な円弧にすることができる。
【００３６】
以上のように、本発明の安全機構付引き手は、ケーシング１１、手掛部材１２、戸当部材１３、長シャフト１４、短シャフト１５、１５′、回動軸１１１、１１１′長孔１２３、１２３′、係合長孔１３５、１３５′第１の貫通孔１３３、１３３′、第２の貫通孔１３４、１３４′あるいは案内溝１２２、カバー部材１１５等の形状および巧みな係合関係により、指を挟むことなく、指かけ代が大きく、操作が確実で、しかも、見栄えを良くすることができた。
【００３７】
以上、本発明の実施例を詳述したが、本発明は、前記実施例に限定されるものではない。そして、本発明は、特許請求の範囲に記載された事項を逸脱することがなければ、種々の設計変更を行うことが可能である。本発明の安全機構付引き手は、各部の組合せ、あるいは形状が変更できることはいうまでもない。
【符号の説明】
【００３８】
１０・・・安全機構付引き手
１１・・・ケーシング
１１１、１１１′・・・回動軸
１１２、１１２′・・・第１弧状溝
１１３、１１３′・・・第２弧状溝
１１４・・・スプリング係合部
１１５・・・カバー部材
１１６・・・開口部
１２・・・手掛部材
１２１・・・手掛部
１２２・・・案内溝
１２３、１２３′・・・長孔
１２４、１２４′・・・回動取付孔
１２５、１２５′・・・補強部
１２６・・・凹部
１３・・・戸当部材
１３１・・・戸当部
１３２、１３２′・・・アーム
１３３、１３３′・・・第１の貫通孔
１３４、１３４′・・・第２の貫通孔
１３５、１３５′・・・係合長孔
１３６・・・当接部
１３９・・・クッション
１４・・・長シャフト
１５、１５′・・・短シャフト
１６・・・バネ部材
１６１、１６２・・・係合フック
１７、１７′・・・板バネ
１７１・・・板バネ取付部
１８、１８′、１８″・・・留め金
【図１】
2010174582.tif 000003
【図２】
2010174582.tif 000004
【図３】
2010174582.tif 000005
【図４】
2010174582.tif 000006
【図５】
2010174582.tif 000007
【図６】
2010174582.tif 000008
【図７】
2010174582.tif 000009